(57)【要約】【課題】使用感および安全性を高めるランニングマシンを提供する。【解決手段】基台３の回転軸６、７に環状の走行ベルト２が回転可能に支持される。モーター４が走行ベルトを駆動する。基台３から延びる前方支柱９，１０に操作パネル５が設けられる。操作パネル５の左右に指向性を有する音、光または空気を走行者の後方へ向けて放出する放出手段１４が設けられる。これにより、走行者が横にふらついたとき、走行者の顔などに音、光または空気が当たるので、走行者は危険を感知することができる。【選択図】図２
2011125728.tif 000002
【特許請求の範囲】
【請求項１】
環状の走行ベルトと、
走行ベルトを回転可能に支持する基台と、
走行ベルトを駆動する駆動手段と、
基台から延びる前方支柱と、
前方支柱に設けられる操作パネルと、
操作パネルの左右に設けられ、指向性を有する音、光または空気を走行者の後方へ向けて放出する放出手段を備えたランニングマシン。
【請求項２】
放出手段は、指向性を有する赤外線を走行者の後方へ向けて照射することで、走行者が基台の左又は右にふらついたことを検出したとき、音、光または空気を走行者に放出する請求項１に記載のランニングマシン。
【請求項３】
走行者の前方に設けられ、走行者の体が前方へ移動する荷重を支持することの可能なクッション部材を備える請求項１または２に記載のランニングマシン。
【請求項４】
クッション部材は、弾性力を調節可能である請求項３に記載のランニングマシン。
【請求項５】
前方支柱に取り付けられ、走行者の体の両側に延びて、走行者の体のふらつきを抑制可能なガイド部材を備える請求項１〜４のいずれか一項に記載のランニングマシン。
【請求項６】
基台から延びる後方支柱と、
後方支柱に設けられ、走行者の後方に位置し、走行者の体が後方へ移動する荷重を支持することの可能な第２クッション部材を備える請求項１〜５のいずれか一項に記載のランニングマシン。
【発明の詳細な説明】
【技術分野】
【０００１】
本発明はランニングマシンに関する。
【背景技術】
【０００２】
従来より、有酸素運動に用いられるランニングマシンが公知である。
【先行技術文献】
【特許文献】
【０００３】
【特許文献１】特開２００６−１５８８３０号公報
【発明の開示】
【発明が解決しようとする課題】
【０００４】
特許文献１に記載のランニングマシンは、走行者の走行する方向に対して走行面が走行者の前方に向かって下り坂になっている。このため、走行者は、自ら速度調節しつつ走ることになるので使用感が悪化する。
また、走行者が運動によって疲労し、足元が横にふらつくと危険である。また、走行者の走る速度が遅くなり、ランニングマシンの後ろに落ちることがあると危険である。
本発明は上記課題に鑑みてなされたものであり、使用感および安全性を高めるランニングマシンを提供することにある。
【課題を解決するための手段】
【０００５】
上記課題を解決するため、請求項１に係る発明によると、基台に環状の走行ベルトが回転可能に支持される。駆動手段が走行ベルトを駆動する。基台から延びる前方支柱に操作パネルが設けられる。操作パネルの左右に指向性を有する音、光または空気を走行者の後方へ向けて放出する放出手段が設けられる。
これにより、走行者が横にふらついたとき、走行者の顔などに音、光または空気が当たるので、走行者は危険を感知することができる。したがって、ランニングマシンの安全性を高めることができる。
【０００６】
請求項２に係る発明によると、放出手段は、指向性を有する赤外線を走行者の後方へ向けて照射することで、走行者が基台の左又は右にふらついたことを検出したとき、音、光または空気を走行者に放出する。これにより、ランニングマシンの安全性を高めることができる。
【０００７】
請求項３に係る発明によると、ランニングマシンは、走行者の前方に設けられ、走行者の体が前方へ移動する荷重を支持することの可能なクッション部材を備える。
これにより、走行者はクッション部材に体重を預けるようにして走行運動をすることができる。これにより、前傾姿勢で走行運動をすることができるので、ランニングマシンの使用感を高めることができる。
請求項４に係る発明によると、クッション部材は、弾性力を調節可能である。
これにより、走行者は、自分の走行速度に適した弾性力にクッション部材を調節し、クッション部材に体重を預けるようにして走行運動をすることができる。
【０００８】
請求項５に係る発明によると、ランニングマシンは、前方支柱に取り付けられ、走行者の体の両側に延びて、走行者の体のふらつきを抑制するガイド部材を備える。
これにより、走行者は安全に走行運動をすることができる。
【０００９】
請求項６に係る発明によると、ランニングマシンは、基台から延びる後方支柱と、この後方支柱に設けられ、走行者の後方に位置し、走行者の体が後方へ移動する荷重を支持することの可能な第２クッション部材を備える。
これにより、走行者は、走る速さが遅くなったとき、背中または尻部に第２クッション部材が接触するので、危険を感知することができる。
【図面の簡単な説明】
【００１０】
【図１】本発明の第１実施形態のランニングマシン。
【図２】図１の平面図。
【図３】本発明の第１実施形態のランニングマシンの他の使用例。
【発明を実施するための形態】
【００１１】
以下、本発明の実施形態を図面に基づいて説明する。
（第１実施形態）
本発明の第１実施形態によるランニングマシンを図１〜図３に示す。本実施形態のランニングマシン１は、走行ベルト２、基台３、駆動手段４および操作パネル５などを備えている。
基台は、ランニングマシンを使用する走行者の前方と後方にそれぞれ回転軸６，７を備えている。走行ベルトは、環状に形成され、その２つの回転軸に取り付けられている。走行ベルトの下には、走行者の体重を支持可能な板材８が設けられている。これにより、基台は、走行ベルトを回転可能に支持する。
駆動手段は、モーター等から構成され、前方の回転軸を回転駆動することで、走行ベルトを駆動する。
基台の前方左右から上方に２本の前方支柱９、１０が延びている。この２本の前方支柱に操作パネルが取り付けられている。操作パネルには、走行ベルトの速度、又は後述するクッション部材１１の弾性力などを調節するスイッチ類１２、並びに走行速度などを表示する表示パネル１３が設けられている。
操作パネルの左右には、走行者の後方へ向け、指向性を有する音、光または空気を放出する放出手段１４が設けられている。指向性を有する音は、例えば比較的高音の警告音である。また、指向性を有する音は、例えば断続的に照射されるフラッシュである。また、指向性を有する空気は、例えば冷風等である。
【００１２】
左右の前方支柱を接続するバー１５から、２本のガイド部材１６、１７が走行者の体の両側に延びている。２本のガイド部材は、走行者の体のふらつきを抑制するものである。
２本のガイド部材の間には、クッション部材１１が設けられている。クッション部材は、走行者の体が前方へ移動する荷重を支持することが可能である。また、クッション部材は、エアー供給装置１８の動力を調節することで、その弾性力を調節可能である。また、図１及び図３に示すように、クッション部材は、その取り付け角度を調節することも可能である。
基台の後方左右から上方に２本の後方支柱１９．２０が延びている。この２本の後方支柱に跨り、第２クッション部材２１が設けられている。第２クッション部材は、走行者の後方に位置し、走行者の体が後方へ移動する荷重を支持するものである。
【００１３】
走行者は、走行ベルト上を走行するとき、クッション部材に体重を預けるようにして走行運動をすることが可能である。これにより、走行者は、前傾姿勢で走行運動をすることができる。また、走行者は、自分の走行速度に適した弾性力及び角度にクッション部材を調節することが可能である。例えば、前傾姿勢で速く走行するときは、図１に示すように角度を調節し、弾性力を大きくする。一方、遅い速度で走るときは、図３に示すように角度を調節する。
走行者が疲労し、横にふらついたとき、走行者の顔などに音、光または空気が当たるので、走行者は危険を感知することができる。また、ガイド部材が走行者の体のふらつきを抑制する。また、走行者の走る速度が遅くなったとき、走行者の背中または尻部に第２クッション部材が接触する。これにより、ランニングマシンの使用感と安全性を高めることができる。
【符号の説明】
【００１４】
１：ランニングマシン、２：走行ベルト、３：基台、４：駆動手段、５：操作パネル、６、７：回転軸、８：板材、９，１０：前方支柱、１１：クッション部材、１２：スイッチ類、１３：表示パネル、１４：放出手段、１５：バー、１６，１７：ガイド部材、１８：エアー供給装置、１９，２０：後方支柱、２１：第２クッション部材
【図１】
2011125728.tif 000003
【図２】
2011125728.tif 000004
【図３】
2011125728.tif 000005